(57)【特許請求の範囲】
【請求項１】
光学的条件を変更可能な光学部材と、前記光学部材を所定範囲内の駆動速度で駆動可能な駆動手段とを備えた交換レンズを着脱可能なカメラ本体であって、
前記所定範囲内の駆動速度の値であって、最高速度に関連する設定値を示す最高速度情報と、最低速度に関連する設定値を示す最低速度情報と、前記駆動手段の静音動作に関連した、設定値又は設定許容範囲を示す静音速度情報と、を含む駆動速度情報を、前記交換レンズから受信する受信手段と、
前記受信した駆動速度情報に基づいて、前記駆動手段を駆動するための制御信号を生成し、前記生成した制御信号を前記交換レンズに送信する制御手段と、
を有し、
前記制御手段は、前記駆動手段の駆動音を抑制して当該駆動手段を駆動しようとするときに、前記受信した駆動速度情報に含まれる静音速度情報に基づいて、前記駆動手段を駆動するための制御信号を生成し、前記生成した制御信号を前記交換レンズに送信する、
カメラ本体。
【請求項２】
前記駆動手段の駆動音を抑制して当該駆動手段を駆動しようとするときとは、前記カメラ本体が録音動作を実施しているときである、請求項１に記載のカメラ本体。
【請求項３】
前記駆動手段の駆動音を抑制して当該駆動手段を駆動しようとするときとは、前記カメラ本体が、前記駆動手段の駆動音を低く抑える動作モードである静音モードに設定されているときである、請求項１に記載のカメラ本体。
【請求項４】
前記駆動手段の静音動作に関連した設定値は、当該設定値で前記光学部材を駆動したときの駆動手段の駆動音レベルが、前記所定範囲内の最大値で前記光学部材を駆動したときの駆動手段の駆動音レベル、及び、前記所定範囲内の最小値で前記光学部材を駆動したときの駆動手段の駆動音レベルのいずれに対しても小さくなるような値である、
請求項１に記載のカメラ本体。
【請求項５】
カメラ本体に着脱可能な交換レンズであって、
光学的条件を変更可能な光学部材と、
前記光学部材を、所定範囲内の駆動速度で駆動可能な駆動手段と、
前記所定範囲内の駆動速度の値であって、最高速度に関連する設定値を示す最高速度情報と、最低速度に関連する設定値を示す最低速度情報と、前記駆動手段の静音動作に関連した、設定値又は設定許容範囲を示す静音速度情報と、を含む駆動速度情報を記憶する記憶手段と、
前記記憶手段に記憶された前記駆動速度情報を読み出して、前記カメラ本体に送信する送信手段と、
前記カメラ本体から、前記駆動速度情報に応じた前記駆動手段を駆動するための制御信号を受信し、前記受信した制御信号に応じて前記駆動手段を制御する制御手段と、
を有する交換レンズ。
【請求項６】
前記光学部材は、ズームレンズ、フォーカスレンズ及び絞りのうちの少なくとも１つを含む、請求項５に記載の交換レンズ。
【請求項７】
前記駆動手段の静音動作に関連した設定値は、当該設定値で前記光学部材を駆動したときの駆動手段の駆動音レベルが、前記所定範囲内の最大値で前記光学部材を駆動したときの駆動手段の駆動音レベル、及び、前記所定範囲内の最小値で前記光学部材を駆動したときの駆動手段の駆動音レベルのいずれに対しても小さくなるような値である、請求項６に記載の交換レンズ。
【請求項８】
カメラ本体と、前記カメラ本体に着脱可能な交換レンズと、を備える撮像装置であって、
前記交換レンズは、
光学的条件を変更可能な光学部材と、
前記光学部材を、所定範囲内の駆動速度で駆動可能な駆動手段と、
前記所定範囲内の駆動速度の値であって、最高速度に関連する設定値を示す最高速度情報と、最低速度に関連する設定値を示す最低速度情報と、前記駆動手段の静音動作に関連した、設定値又は設定許容範囲を示す静音速度情報と、を含む駆動速度情報を記憶する記憶手段と、
前記記憶手段に記憶された前記駆動速度情報を読み出して、前記カメラ本体に送信する第１の制御手段と、を有し、
前記カメラ本体は、
前記駆動速度情報を前記交換レンズから受信する受信手段と、
前記受信した駆動速度情報に基づいて、前記駆動手段を駆動するための制御信号を生成し、前記生成した制御信号を前記交換レンズに送信する第２の制御手段と、を有し、
前記第２の制御手段は、前記駆動手段の駆動音を抑制して当該駆動手段を駆動しようとするときに、前記受信した駆動速度情報に含まれる静音速度情報に基づいて、前記駆動手段を駆動するための制御信号を生成し、前記生成した制御信号を前記交換レンズに送信し、
前記交換レンズの第１の制御手段は、前記カメラ本体から前記制御信号を受信し、前記受信した制御信号に応じて前記駆動手段を制御する、
撮像装置。
【発明の詳細な説明】
【技術分野】
【０００１】
本発明は、交換レンズを着脱可能なカメラ本体、カメラ本体に着脱可能な交換レンズ、及びカメラ本体と交換レンズとを備える撮像装置に関する。
【背景技術】
【０００２】
従来の撮像装置は、レンズによって被写体像をＣＣＤセンサ上に結像させ、ＣＣＤセンサから出力された画像データを信号処理プロセッサで処理して、液晶モニタに表示している。このとき、信号処理プロセッサに接続されたＣＰＵは、ＣＣＤセンサの露光量を調整するために、画像データから被写体の明るさを検出し、その検出結果に応じて絞りを制御している。
【０００３】
従来の交換レンズとカメラ本体とを備える撮像装置には、特許文献１に記載されているように、静止画像と動画像の両方を撮影可能なものがある。良好な画像を得るためには、静止画像を撮影する場合と動画像を撮影する場合とで、露光量の調節の応答速度（例えば、絞りを制御するための絞りの駆動速度）を異ならせることが好ましい（特許文献１の段落［０００３］〜［０００５］参照）。そこで、特許文献１の撮像装置は、静止画像を撮影するときはＣＣＤセンサの露光量を調整するための応答速度を速く設定し、動画像を撮影するときは、その応答速度を遅く設定している。これによって、静止画像撮影の場合はより素早く撮影を行い、動画像撮影の場合は撮影された画像が小刻みに変動することを防いで、静止画像撮影時と動画像撮影時の両方で、良好な画像データを出力している。
【先行技術文献】
【特許文献】
【０００４】
【特許文献１】特開平９−９３４８４号公報
【発明の概要】
【発明が解決しようとする課題】
【０００５】
撮像装置には、動画像撮影時や静止画像撮影時に音声を録音できるものがある。撮像装置で音声を録音している際に、例えば、絞りやズームレンズが駆動部によって駆動されると、その駆動部の駆動音が雑音として記録されてしまう。そのため、音声を記録しているときは、絞りやズームレンズを駆動するための駆動部の駆動音を低く抑えることが望まれる。
【０００６】
本発明は、上記課題を解決するため、抑制した駆動音で駆動部を動作させることが可能なカメラ本体、交換レンズ、及びそのようなカメラ本体と交換レンズを備えた撮像装置を提供することを目的とする。
【課題を解決するための手段】
【０００７】
本発明のカメラ本体は、光学的条件を変更可能な光学部材と、光学部材を所定範囲内の駆動速度で駆動可能な駆動手段とを備えた交換レンズを着脱可能なカメラ本体であって、所定範囲内の駆動速度の値であって、駆動手段の静音動作に関連した、設定値又は設定許容範囲を示す静音速度情報を、交換レンズから受信する受信手段と、駆動手段の駆動音を抑制して当該駆動手段を駆動しようとするときに、受信した静音速度情報に基づいて、駆動手段を駆動するための制御信号を生成し、生成した制御信号を交換レンズに送信する制御手段と、を有する。
【０００８】
駆動手段の駆動音を抑制して当該駆動手段を駆動しようとするときとは、カメラ本体が録音動作を実施しているときであってもよい。
【０００９】
駆動手段の駆動音を抑制して当該駆動手段を駆動しようとするときとは、カメラ本体が、駆動手段の駆動音を低く抑える動作モードである静音モードに設定されているときであってもよい。
【００１０】
駆動手段の静音動作に関連した設定値は、当該設定値で光学部材を駆動したときの駆動手段の駆動音レベルが、所定範囲内の最大値で光学部材を駆動したときの駆動手段の駆動音レベル、及び、所定範囲内の最小値で光学部材を駆動したときの駆動手段の駆動音レベルのいずれに対しても小さくなるような値であってもよい。
【００１１】
本発明の交換レンズは、カメラ本体に着脱可能な交換レンズであって、光学的条件を変更可能な光学部材と、光学部材を、所定範囲内の駆動速度で駆動可能な駆動手段と、所定範囲内の駆動速度の値であって、駆動手段の静音動作に関連した、設定値又は設定許容範囲を示す静音速度情報を記憶する記憶手段と、記憶手段に記憶された静音速度情報を読み出して、カメラ本体に送信する送信手段と、カメラ本体から、静音速度情報に応じた駆動手段を駆動するための制御信号を受信し、受信した制御信号に応じて駆動手段を制御する制御手段と、を有する。
【００１２】
光学部材は、ズームレンズ、フォーカスレンズ及び絞りのうちの少なくとも１つを含んでもよい。
【００１３】
駆動手段の静音動作に関連した設定値は、当該設定値で光学部材を駆動したときの駆動手段の駆動音レベルが、所定範囲内の最大値で光学部材を駆動したときの駆動手段の駆動音レベル、及び、所定範囲内の最小値で光学部材を駆動したときの駆動手段の駆動音レベルのいずれに対しても小さくなるような値であってもよい。
【００１４】
本発明の撮像装置は、上記カメラ本体と、カメラ本体に着脱可能な上記交換レンズと、を備える。
【発明の効果】
【００１５】
本発明によれば、交換レンズの駆動部（例えば、絞り、フォーカス、及びズームのうち少なくとも一つを駆動する駆動部）の静音動作に関連した設定値を示す静音速度情報を交換レンズに記憶しておき、交換レンズがカメラ本体に装着されたときに、静音速度情報を交換レンズからカメラ本体に送信している。カメラ本体は、静音速度情報に基づいて交換レンズの駆動部を制御することにより、抑制した駆動音で駆動部を動作させることが可能となる。
【図面の簡単な説明】
【００１６】
【図１】本発明の一実施形態のデジタルカメラの斜視図
【図２】本発明の一実施形態のデジタルカメラの構成を示すブロック図
【図３】本発明の実施形態のデジタルカメラにおける駆動速度情報を示す図
【図４】本発明の実施形態のデジタルカメラにおける静音速度を説明するための図
【図５】本発明の実施形態のカメラ本体のＣＰＵと交換レンズのレンズコントローラの具体的な構成を機能的に示した図
【図６】本発明の実施形態の交換レンズ装着時のカメラ本体と交換レンズの動作を示すフローチャート
【図７】本発明の実施形態の絞り調整時のカメラ本体と交換レンズの動作を示すフローチャート
【図８】本発明の実施形態の絞り調整時のカメラ本体と交換レンズの動作を示すフローチャート
【発明を実施するための形態】
【００１７】
以下、本発明の実施形態について添付の図面を参照して説明する。本実施形態において、撮像装置は、デジタル一眼カメラ（以下、単に「デジタルカメラ」と言う。）である。本実施形態のデジタルカメラは、交換レンズがカメラ本体に装着された際、交換レンズからカメラ本体に静音速度情報を送信する。これによって、デジタルカメラは、カメラ本体が録音している際に、抑制した駆動音で交換レンズの駆動部を動作させることを可能にしている。本実施形態において、「静音速度情報」とは、絞りを駆動する絞り駆動部が動作するときの静音に関連した設定値（具体的には、速度）のことをいう。
【００１８】
１．構成
１−１  全体構成
図１に、本発明の実施形態に係るデジタルカメラの斜視図を示す。本実施形態のデジタルカメラ１は、カメラ本体２と、カメラ本体２に着脱可能な交換レンズ３とを備える。カメラ本体２は、交換レンズ３の光学系によって集光された被写体像を撮像して、画像データを生成する。
【００１９】
１−２  カメラ本体の構成
図２に、図１のデジタルカメラ１の具体的構成を示すブロック図を示す。カメラ本体２は、ＣＭＯＳセンサ２０１、シャッタ２０２、信号処理プロセッサ２０３（ＤＳＰ）、バッファメモリ２０４、液晶モニタ２０５、電子ビューファインダ２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、及びスピーカ２１５を備える。
【００２０】
ＣＭＯＳセンサ２０１は、被写体像を撮像して、画像データ（デジタル信号又は電気信号）を生成する撮像部である。ＣＭＯＳセンサ２０１は、受光素子と、ＡＧＣ（ゲイン・コントロール・アンプ）と、ＡＤコンバータを含む。受光素子は、交換レンズ３の光学系によって集光された光学的信号を電気信号に変換する。ＡＧＣは、受光素子から出力された電気信号を増幅する。ＡＤコンバータは、ＡＧＣから出力された電気信号をデジタル信号に変換する。
【００２１】
ＣＭＯＳセンサ２０１は、ＣＰＵ２１１から送信される制御信号に従って、露光、転送、電子シャッタなどの各種の動作を行う。この各種動作は、内蔵するタイミングジェネレータ等で実現可能である。電子シャッタは、受光素子における１フレーム当たりの受光時間（撮像時間）を調整する。
【００２２】
メカシャッタ２０２は、交換レンズ３の光学系を介して入射された、ＣＭＯＳセンサ２０１に対する光学的信号の遮断又は通過を切り替える。メカシャッタ２０２は、開けたり閉じたりして、ＣＭＯＳセンサ２０１に当たる光の量を時間的に調整する。メカシャッタ２０２は、メカシャッタ駆動部（図示せず）によって駆動される。メカシャッタ駆動部は、モータ、バネ等の機構部品により構成され、ＣＰＵ２１１の制御に従って、メカシャッタ２０２を駆動する。
【００２３】
信号処理プロセッサ（ＤＳＰ）２０３は、ＡＤコンバータによってデジタル信号に変換された画像データに、画像処理を施す。画像処理には、ガンマ変換、ＹＣ変換、電子ズーム処理、圧縮処理、伸張処理等が考えられる。
【００２４】
バッファメモリ２０４は、ワークメモリとして作用する。例えば、バッファメモリ２０４は、信号処理プロセッサ２０３が処理を行うとき、又は、ＣＰＵ２１１が制御処理を行うときにワークメモリとして作用する。バッファメモリ２０４は、例えば、ＤＲＡＭで実現可能である。
【００２５】
液晶モニタ２０５は、カメラ本体２の背面に配置されるものであり、ＣＭＯＳセンサ２０１で生成された画像データ又はその画像データに画像処理が施された画像データを表示する。液晶モニタ２０５に入力される画像信号は、信号処理プロセッサ２０３から液晶モニタ２０５に出力される際に、ＤＡコンバータによってデジタル信号からアナログ信号に変換される。
【００２６】
電子ビューファインダ２０６は、カメラ本体２に配置され、ＣＭＯＳセンサ２０１で生成された画像データ又はその画像データに画像処理が施された画像データを表示する。電子ビューファインダ２０６に入力される画像信号も同様に、信号処理プロセッサ２０３から電子ビューファインダ２０６に出力される際、ＤＡコンバータによってデジタル信号からアナログ信号に変換される。
【００２７】
表示切替部２１７は、画像信号の表示を、液晶モニタ２０５と電子ビューファインダ２０６とで切り替える。すなわち、液晶モニタ２０５に画像が表示されている間は、電子ビューファインダ２０６には何も表示されない。また、電子ビューファインダ２０６に画像が表示されている間は、液晶モニタ２０５には何も表示されない。表示切替部２１７は、切り替えスイッチなどの物理的な構造で実現することができる。このとき、信号処理プロセッサ２０３と液晶モニタ２０５が電気的に接続されている状態で切り替えスイッチが切り替えられると、信号処理プロセッサ２０３と液晶モニタ２０５との電気的な接続が切断され、信号処理プロセッサ２０３と電子ビューファインダ２０６とが電気的に接続される。なお、表示切替部２１７は、切り替えスイッチに限定されず、ＣＰＵ２１１の制御信号に基づいて、液晶モニタ２０５と電子ビューファインダ２０６への表示の切り替えを行うものであればよい。なお、本実施形態では、液晶モニタ２０５への表示と、電子ビューファインダ２０６への表示とを切り替えるようにしているが、液晶モニタ２０５への表示と電子ビューファインダ２０６への表示を同時に行なうようにしてもかまわない。同時に表示する場合、液晶モニタ２０５に表示する画像と、電子ビューファンダー２０６に表示する画像は、同じ画像であっても、異なる画像であってもかまわない。
【００２８】
電源２０７は、デジタルカメラ１で消費するための電力を供給する。電源２０７は、例えば乾電池であってもよいし、充電池であってもよい。また、電源コードにより外部から供給される電力をデジタルカメラ１に供給するものであってもよい。
【００２９】
ボディマウント２０８は、交換レンズ３のレンズマウント３０１と相俟って、交換レンズ３の着脱を可能にする部材である。ボディマウント２０８は、例えば、接続端子等により交換レンズ３と電気的に接続可能であるとともに、係止部材等のメカニカルな部材により交換レンズ３と機械的に接続可能である。ボディマウント２０８は、交換レンズ３のレンズコントローラ３１１からの信号をＣＰＵ２１１に出力し、且つＣＰＵ２１１からの信号を交換レンズ３のレンズコントローラ３１１に出力する。
【００３０】
フラッシュメモリ２０９は、内蔵メモリとして用いられる記憶媒体である。フラッシュメモリ２０９は、画像データ又はその画像データに画像処理が施された画像データや、デジタル化された音声信号を格納する。さらに、フラッシュメモリ２０９は、ＣＰＵ２１１の制御のためのプログラムや設定値などを記憶する。フラッシュメモリ２０９は、交換レンズ３から送信された駆動速度情報（静音速度情報を含む）を記憶する。つまり、ＣＰＵ２１１は、交換レンズ３から受信した駆動速度情報を、フラッシュメモリ２０９に記憶する。また、フラッシュメモリ２０９は、絞り値を記憶する。すなわち、カメラ本体２に設けられた絞り値を調整可能な操作部材（図示せず）を使用者に操作されることにより、使用者により設定された絞り値は、フラッシュメモリ２０９に格納される。
【００３１】
カードスロット２１０は、メモリカード２１８を着脱するためのスロットである。メモリカード２１８は、画像データ又はその画像データに画像処理が施された画像データや、デジタル化された音声信号を格納する記憶媒体である。
【００３２】
ＣＰＵ２１１は、カメラ本体２の全体を制御する。また、ＣＰＵ２１１は、交換レンズ３側のレンズコントローラ３１１と制御信号や光学系に関する情報などを送受信する。ＣＰＵ２１１は、マイクロコンピュータで実現してもよく、ハードワイヤードな回路で実現してもよい。
【００３３】
シャッタスイッチ２１２は、カメラ本体２の上面に設けられた釦であり、使用者からの半押し及び全押し操作を検知する操作部である。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。
【００３４】
ストロボ２１３は、ＣＰＵ２１１からの制御信号に基づいて、被写体に対して光の照射を行なう。例えば、ストロボ２１３は、キセノンランプやコンデンサー等を用いて実現できる。このように構成した場合、ストロボ２１３は、コンデンサーに高電圧の電荷を蓄積しておき、この電荷をキセノンランプの電極に加えることによって、光を照射する。
【００３５】
マイク２１４は、音声を電気信号に変換する。マイク２１４から出力された電気信号は、ＡＤコンバータによってデジタル信号に変換される。ＡＤコンバータで変換されたデジタル信号は、ＣＰＵ２１１の制御に従って、フラッシュメモリ２０９又はメモリカード２１８に記憶される。
【００３６】
スピーカ２１５は、電気信号を音声に変換する。スピーカ２１５へ入力される電気信号は、ＤＡコンバータでデジタル信号から電気信号に変換されたものである。このＤＡコンバータには、ＣＰＵ２１１の制御によって、フラッシュメモリ２０９又はメモリカード２１８から読み出されたデジタル信号が入力される。
【００３７】
１−３  交換レンズの構成
交換レンズ３は、レンズマウント３０１、対物レンズ３０２、ズームレンズ３０３、フォーカスレンズ３０４、ズームレンズ３０３を駆動するズーム駆動部３０５、フォーカスレンズ３０４を駆動するフォーカス駆動部３０６、絞り３０７、絞り３０７を駆動する絞り駆動部３０８、ズームリング３０９、フォーカスリング３１０、レンズコントローラ３１１、及びフラッシュメモリ３１２を備える。ズーム駆動部３０５、フォーカス駆動部３０６、及び絞り駆動部３０８は、交換レンズ３内を通過する光の光学的条件を変更する駆動部を構成する。
【００３８】
交換レンズ３の光学系は、対物レンズ３０２とズームレンズ３０３とフォーカスレンズ３０４とを含み、被写体からの光を集光する。ズーム駆動部３０５は、レンズコントローラ３１１の制御にしたがって、ズームレンズ３０３を駆動する。フォーカス駆動部３０６は、レンズコントローラ３１１の制御にしたがって、フォーカスレンズ３０４を駆動する。ズームリング３０９は、交換レンズ３の外装に設けられ、使用者からの操作に応じて、ズームレンズ３０３を駆動する。フォーカスリング３１０は、交換レンズ３の外装に設けられ、使用者からの操作に応じて、フォーカスレンズ３０４を駆動する。ズームレンズ３０３は、ズーム駆動部３０５又はズームリング３０９によって駆動され、ズーム倍率を調整する。フォーカスレンズ３０４は、フォーカス駆動部３０６又はフォーカスリング３１０によって駆動され、ピントの調節を行なう。フォーカスレンズ３０４とズームレンズ３０３は可動レンズである。
【００３９】
絞り３０７は、光学系を通過する光の量を調整する。光の量の調整は、５枚羽根などで構成される開口径を大きくしたり、小さくしたりすることで行われる。絞り駆動部３０８は、絞り３０７の開口径の大きさを変更する。開口径の大きさは、絞り値（Ｆ値）によって指定可能である。本実施形態では、絞り駆動部３０８は、レンズコントローラ３１１から絞り駆動部３０８を制御するための制御信号（絞り値および駆動速度を含む。）を受信して、受信した制御信号に応じて、絞り３０７の開口を調整する。絞り３０７を駆動するときの速度（絞り駆動部３０８の駆動速度）を変更する方法は、特に限定されないが、例えば、絞り３０７を駆動するモータに対する電流を変更することにより行われる。なお、絞り駆動部３０８は、レンズコントローラ３１１からの制御に基づいて、絞り３０７を駆動するようにしているが、これに限られず、機械的な方法によって絞り３０７を駆動させてもよい。この場合、ボディマウント２０８に連動ピンを設け、連動ピンの駆動を絞り駆動部３０８が受けて、絞り３０７を駆動させる。連動ピンは、ＣＰＵ２１１により制御されたモータなどにより駆動される。
【００４０】
フラッシュメモリ３１２は、絞り駆動部３０８の駆動速度情報を格納する（詳細は図３と共に後述する）。
【００４１】
レンズコントローラ３１１は、交換レンズ３全体を制御する。レンズコントローラ３１１は、マイクロコンピュータで実現してもよく、ハードワイヤードな回路で実現してもよい。レンズコントローラ３１１は、交換レンズ３がカメラ本体２に装着されたときに、フラッシュメモリ３１２から駆動速度情報を読み出して、カメラ本体２に送信する。レンズコントローラ３１１は、カメラ本体２から送信された駆動部を制御するための制御信号を取得し、取得した制御信号を駆動部３０５、３０６、３０８に出力する。
【００４２】
図３に、交換レンズ３のフラッシュメモリ３１２に記憶されている、絞り駆動部３０８の駆動速度（絞り３０７を駆動するときの速度）を示す駆動速度情報の例を示す。絞り駆動部３０８の駆動速度情報は、絞り駆動部３０８の駆動速度の設定範囲のうち、最高速度に関連する設定値を示す設定値情報（最高速度情報）、最低速度に関連する設定値を示す設定値情報（最低速度情報）、及び静音速度に関連する設定値を示す設定値情報（静音速度情報）を含む。「静音速度」とは、交換レンズ３の絞り駆動部３０８を所望の低い駆動音レベルで動作させたいときに用いる絞り駆動部３０８の駆動速度をいう（詳細は図４と共に後述する）。本実施形態において、最高速度、最低速度、静音速度に関連する設定値とは、速度そのもののことである。すなわち、最高速度情報、最低速度情報、及び静音速度情報は、それぞれ最高速度、最低速度、及び静音速度を示す。図３においては、最高速度情報は１５０ＡＶ／ｓｅｃであり、最低速度情報は５０ＡＶ／ｓｅｃであり、静音速度情報は８０ＡＶ／ｓｅｃである。
【００４３】
図４を用いて、静音速度についてさらに説明する。図４は、２種類の交換レンズＡ、Ｂについて、絞り駆動部３０８の駆動速度と駆動音（騒音）の関係を示した図である。図４において、横軸は絞り駆動部３０８が絞り３０７を駆動するときの速度（ｐｐｓ）を示し、縦軸は絞り駆動部３０８の騒音（ｄＢ）を示している。絞り駆動部３０８は、ステッピングモータやサーボモータなどにより構成される。そのため、図４に示すように、モータの構成や特性により、必ずしも最低速度が、駆動音が最低となる速度になるとは限らない。そこで、本実施形態では、より静かに交換レンズ３を駆動できる速度に関する情報（静音速度情報）を交換レンズ３に格納しておく。図４の交換レンズＡ，Ｂの特性で示されるように、静音速度は交換レンズ３の種類によって異なる。このため、交換レンズ３はそれぞれ固有の静音速度情報を格納しておく。カメラ本体２は、静音速度情報を参照することで、交換レンズ３を静かに駆動（静音動作）させることができる。
【００４４】
例えば、「静音速度」とは、絞り駆動部３０８により絞り３０７を最高速度と最低速度で駆動したときに発生する駆動音のうち小さい方の駆動音のレベルと同じか又はそれよりも小さい駆動音のレベルでの、絞り駆動部３０８の駆動を実現する駆動速度と定義できる。交換レンズ３のフラッシュメモリ３１２には、そのような駆動速度のうちの１つの駆動速度の情報を格納してもよい。
【００４５】
なお、以下の説明においては、静音速度は、駆動音が最低となるときの、絞り駆動部３０８の速度に設定する。
【００４６】
図５は、カメラ本体２のＣＰＵ２１１と交換レンズ３のレンズコントローラ３１１の具体的な構成を機能的に示した図である。カメラ本体２のＣＰＵ２１１は、交換レンズ３から図３に示すような交換レンズ３の絞り駆動部３０８の駆動速度情報を受信する駆動速度情報受信部２１と、受信した駆動速度情報に基づいて、交換レンズ３の絞り駆動部３０８を制御する制御信号を生成する制御信号生成部２２と、生成された制御信号を交換レンズ３に送信する制御信号送信部２３とを含む。交換レンズ３のレンズコントローラ３１１は、フラッシュメモリ３１２に記憶されている図３に示すような絞り駆動部３０８の駆動速度情報を送信する駆動速度情報送信部３１と、カメラ本体２から送信された制御信号を受信する制御信号受信部３２と、受信した制御信号に基づいて絞り駆動部３０８を制御する駆動制御部３３とを有する。
【００４７】
２．動作
上記のように構成されるデジタルカメラ１の動作について、絞り駆動部３０８の駆動音を低減する場合について以下に説明する。
【００４８】
図６〜図８に、本実施形態のデジタルカメラ１を構成するカメラ本体２と交換レンズ３の動作を示す。図６は、交換レンズ３がカメラ本体２に装着されたときの、交換レンズ３のレンズコントローラ３１１とカメラ本体２のＣＰＵ２１１の動作を示している。カメラ本体２に交換レンズ３が装着されると、交換レンズ３のレンズコントローラ３１１はカメラ本体２に対して、少なくとも静音速度情報（図３参照）を含む駆動速度情報を送信する（Ｓ６０１）。カメラ本体２のＣＰＵ２１１は、交換レンズ３から送信された駆動速度情報を受信し（Ｓ６０２）、受信した駆動速度情報を記憶媒体であるフラッシュメモリ２０９に格納する（Ｓ６０３）。
【００４９】
図７及び図８に、図６の処理の後、絞りの調整が行われるときの、交換レンズ３のレンズコントローラ３１１とカメラ本体２のＣＰＵ２１１の動作を示す。
【００５０】
図７は、録音時かどうかに基づいて、絞り駆動部３０８の駆動速度を変更する場合を示している。カメラ本体２のＣＰＵ２１１は、絞り値が変更されたか否かを判別する（Ｓ７０１）。絞り値の変更は使用者又はカメラ本体２のＣＰＵ２１１によって行われる。例えば、ＣＰＵ２１１は、使用者がカメラ本体２に設けられた操作部材を操作したことを検知することにより、絞り値の変更を受け付ける。また、ＣＰＵ２１１がＣＭＯＳセンサ２０１で生成された画像データから被写体の明るさを検出し、その検出結果に基づいて、絞り値を変更する必要があると判断した場合、絞り値が変更される。絞り値を変更する必要がある場合とは、例えば、被写体の明るさが所定以上暗くなった場合等である。
【００５１】
絞り値が変更された場合（Ｓ７０１でＹｅｓ）、カメラ本体２のＣＰＵ２１１は、録音時かどうかを判別する（Ｓ７０２）。ここで、「録音」について説明する。録音には、動画撮影中の録音や、静止画に音声を加えた撮影を行うときの録音や、音声だけを撮る場合の録音が含まれる。動画撮影中の録音は、例えば、以下のように行われる。カメラ本体２が音声付き動画撮影モードに設定され且つシャッタスイッチ２１２が操作されることによって動画撮影が開始されたときに、カメラ本体２での録音が開始される。録音が開始されると、ＣＰＵ２１１は、マイク２１４が取得した音声データをメモリカード２１８に記憶する。その後、動画撮影中にシャッタスイッチ２１２が操作されることにより動画撮影が終了すると、録音は終了する。なお、録音は上記方法に限らない。
【００５２】
ＣＰＵ２１１は、録音時であると判別した場合（Ｓ７０２でＹｅｓ）、フラッシュメモリ２０９に記憶されている静音速度情報に基づいて、絞り駆動部３０８を制御するための制御信号を生成する（Ｓ７０３）。絞り駆動部３０８を制御するための制御信号は、絞り値（Ｆ値）と絞り駆動部３０８の駆動速度を含む。図３の場合、静音速度情報に含まれる設定値（８０ＡＶ／ｓｅｃ）が、絞り駆動部３０８の駆動速度として制御信号に含められる。これにより、カメラ本体２による、より駆動音を考慮した絞り駆動部３０８の制御が可能となる。
【００５３】
一方、カメラ本体２のＣＰＵ２１１が録音時でないと判別した場合（Ｓ７０２でＮｏ）、フラッシュメモリ２０９に記憶されている最高速度情報に基づいて絞り駆動部３０８を制御するための制御信号を生成する（Ｓ７０４）。最高速度で駆動部３０８を駆動させることで、絞り３０７をより迅速に所望の状態に設定できる。なお、最低速度情報に基づいて絞り駆動部３０８を制御するための制御信号を生成してもよい。カメラ本体２のＣＰＵ２１１は、生成した制御信号を交換レンズ３に送信する（Ｓ７０５）。
【００５４】
交換レンズ３のレンズコントローラ３１１は、カメラ本体２から送信された、絞り駆動部３０８を制御するための制御信号を受信する（Ｓ７０６）。レンズコントローラ３１１は、受信した絞り駆動部３０８を制御するための制御信号に応じて絞り駆動部３０８を制御する（Ｓ７０７）。すなわち、絞り駆動部３０８は、レンズコントローラ３１１により制御された駆動速度で、レンズコントローラ３１１から制御された絞り値となるように、絞り３０７を駆動する。
【００５５】
図８は、静音モードかどうかに基づいて、絞り駆動部３０８の駆動速度を変更する場合を示している。図７と図８の違いは、録音時かどうかの判別（Ｓ７０２）に代えて、カメラ本体２が静音モードに設定されているか否かを判別（Ｓ８０２）することである。それ以外のステップは、図７と図８において同一である。ここで、「静音モード」とは、デジタルカメラ１の絞り駆動部３０８の駆動音を低く抑える動作モードである。静音モードの設定は、例えば、以下のようにして行われる。静音モードを指定する専用のボタンがカメラ本体２に設けられる。使用者は、その専用のボタンを操作することにより、カメラ本体２を静音モードに設定することができる。これにより、カメラ本体２は、絞り駆動部３０８の駆動音を抑えた制御を行なうことが可能となる。なお、静音モードの他に種々の動作モードがカメラ本体２に設けられている場合、静音モードと他の動作モードとの切り替えを、カメラ本体２に設けられた専用ボタンを切り替えることにより行えるようにしてもよい。また、液晶モニタ２０５に動作モードを切り替えるための画面を表示して、使用者がその画面を見ながら操作部材を操作することにより、動作モードを切り替えられるようにしてもよい。
【００５６】
ステップＳ８０２において静音モードに設定されている場合、フラッシュメモリ２０９に記憶されている静音速度情報に基づいて、絞り駆動部３０８を制御するための制御信号を生成する（Ｓ８０３）。一方、静音モードに設定されていない場合、フラッシュメモリ２０９に記憶されている最高速度情報に基づいて、絞り駆動部３０８を制御するための制御信号を生成する（Ｓ８０４）。このような構成により、静音モード時において、交換レンズ３の駆動音を低減することができる。
【００５７】
３．まとめ
本実施の形態によれば、交換レンズ３が絞り駆動部３０８の静音動作に関連した設定値を示す静音速度情報を保持し、交換レンズ３がカメラ本体２に装着されたときに、その静音速度情報を交換レンズ３からカメラ本体２に送信している。よって、カメラ本体２は、録音中や静音モード中は、交換レンズ３の静音速度情報に基づいて、交換レンズ３の絞り駆動部３０８を制御することが可能となる。よって、交換レンズ３の駆動音を低減した、交換レンズ３の駆動が可能となる。これにより、録音される音声データに、雑音が含まれることを低減することができる。
【００５８】
４．他の実施の形態
上記実施形態では、静音速度情報に基づいて絞り駆動部３０８を制御する場合について説明したが、静音速度情報に基づく制御の対象は絞り駆動部３０８に限定されない。交換レンズ３内で光学的な条件を変更する光学部材（例えば、フォーカスレンズ３０４やズームレンズ３０３）を駆動する駆動部（例えば、フォーカス駆動部３０６やズーム駆動部３０５）を、それぞれの静音速度情報に基づいて制御してもよい。また、ＯＩＳ駆動部をその静音速度情報に基づいて制御してもよい。
【００５９】
なお、上記実施形態において、静音速度は、絞り駆動部３０８の駆動音が最低となるときの速度を例にした。しかし、駆動部の駆動音が最低となる設定値とは、厳密に駆動音が最低となるときの速度である必要はない。すなわち、カメラ本体２は、交換レンズ３から、駆動部の駆動音が大まかにどの駆動速度で低く抑えることができるかを知ることができればよく、駆動部の駆動音が最低となる設定値は、通常、使用者がその設定値で駆動部を駆動させた場合に、他の速度の駆動音と比べて小さいと感じることができるものであればよい。
【００６０】
なお、静音速度は、絞り駆動部３０８の駆動音だけでなく、他の要件（例えば、画質）を考慮して、設定してもよい。
【００６１】
なお、上記実施形態では、図７のステップＳ７０３及び図８のステップＳ８０３において、絞り駆動部３０８を制御するための制御信号に含まれる駆動速度として、静音速度を用いたが、制御信号に含まれる駆動速度はこれに限定されず、静音速度以外の速度であってもよい。例えば、静音速度と最低速度の中間の速度であってもよい。カメラ本体２は、音声付き動画像を撮影している際、駆動音のみだけでなく、動画像の絵作りを考慮して、絞り駆動部３０８の駆動速度をより遅くするような制御をする場合がある。「動画像の絵作り」においては、駆動部の駆動速度を遅くすると、ＣＭＯＳセンサ２０１から順次出力される画像データ間の変化を少なくすることができるため、滑らかな動画像を使用者に対して提供することができる。このような場合、静音速度情報と最低速度情報に基づいて、静音速度と最低速度の中間の速度を含む、絞り駆動部３０８を駆動させるための制御信号を生成すると、動画像の絵作りと絞り駆動部３０８の駆動音を考慮した制御を行うことができる。図３の場合、静音速度（８０ＡＶ／ｓｅｃ）と最低速度（５０ＡＶ／ｓｅｃ）の中間速度（６５ＡＶ／ｓｅｃ）が、絞り駆動部３０８を制御するための駆動速度となる。
【００６２】
なお、上記実施形態では、録音時や静音モードのときに、静音速度情報に基づいて絞り駆動部３０８を駆動したが、静音速度情報に基づく駆動は、上記実施形態の場合に限定されない。静音速度情報は、駆動音を低く抑えながら駆動部を駆動したいときに、利用できる。例えば、撮影環境に応じて、静音速度情報に基づく制御を行ってもよい。具体的には、環境音（例えば、デジタルカメラ１の周辺が賑やかか又は静かなど）を認識して、認識した環境音により、室内か室外かを判断するような場合に、静音速度情報に基づく制御を行ってもよい。
【００６３】
本実施形態では、撮像部としてＣＭＯＳセンサ２０１を用いたが、撮像部は被写体像を撮像して、画像データ（デジタル信号又は電気信号）を生成できるものであれば、どのような構成であってもかまわない。すなわち、カメラ本体２は、受光素子、ＡＧＣ、ＡＤコンバータを備えるＣＭＯＳセンサ２０１を備えたが、これに限らず、例えば、別々の部材で構成されたＣＣＤイメージセンサとＡＤコンバータを備えても良い。なお、撮像部をＣＭＯＳセンサ２０１で構成した場合、電力消費を減らすことができる。
【００６４】
上記実施形態では、「絞り駆動部３０８を制御するための制御信号」は、絞り値（Ｆ値）と絞り駆動部３０８の駆動速度を含んだ。しかし、これに限定されず、例えば、絞り値の代わりに、絞り駆動部３０８の駆動量を含むようにしてもよい。また、絞り値や駆動速度に対応するアドレスなどにより、絞り値及び駆動速度に関する情報が制御信号に含まれても良い。
【００６５】
上記実施形態では、駆動部の静音動作に関連した設定値を示す静音速度情報を用いた例を説明した。しかし、これに限られず、交換レンズ３は、設定許容範囲を示す静音速度情報を送信するようにしてもよい。この場合、設定許容範囲は、特に限定されないが、例えば、７０〜９０ＡＶ／ｓｅｃのような情報を設定許容範囲として送信することができるようになる。この際、カメラ本体２は、駆動音を抑制して駆動部を動作させる場合、設定許容範囲に基づいて、制御信号を生成し、交換レンズ３に送信するとよい。例えば、カメラ本体２は、駆動音を抑制して駆動部を動作させる場合、設定許容範囲に含まれる値で、駆動速度を決定し、制御信号を生成する。このようにすれば、駆動速度に幅を持たせることができるので、デジタルカメラ１は、静音を守りつつ、撮影される動画像の見た目などを考慮して最適な速度で、駆動部（絞り駆動部３０８）を駆動できるようになる。
【００６６】
本実施形態においては、撮像装置がデジタルスチルカメラである場合を説明したが、デジタルスチルカメラに限定せず、デジタルビデオカメラであっても、本発明を適用できる。
【００６７】
本発明は、特定の実施形態について説明されてきたが、当業者にとっては他の多くの変形例、修正、他の利用が明らかである。それゆえ、本発明は、ここでの特定の開示に限定されず、添付の請求の範囲によってのみ限定され得る。なお、本出願は日本国特許出願、特願２００８−１１６８０５号（２００８年４月２８日提出）に関連し、それらの内容は参照することにより本文中に組み入れられる。
【産業上の利用可能性】
【００６８】
本発明は、交換レンズの駆動部の駆動音を低減して動作させることができるという効果を有し、録音機能を備えた、デジタルスチルカメラやデジタルビデオカメラに有用である。
【符号の説明】
【００６９】
１      デジタルカメラ
２      カメラ本体
３      交換レンズ
２０１  ＣＭＯＳセンサ
２０２  メカシャッタ
２０３  信号処理プロセッサ
２０４  バッファメモリ
２０５  液晶モニタ
２０６  電子ビューファインダ
２０７  電源
２０８  ボディマウント
２０９  フラッシュメモリ
２１０  カードスロット
２１１  ＣＰＵ
２１２  シャッタスイッチ
２１３  ストロボ
２１４  マイク
２１５  スピーカ
３０１  レンズマウント
３０２  対物レンズ
３０３  ズームレンズ
３０４  フォーカスレンズ
３０５  ズーム駆動部
３０６  フォーカス駆動部
３０７  絞り
３０８  絞り駆動部
３０９  ズームリング
３１０  フォーカスリング
３１１  レンズコントローラ
３１２  フラッシュメモリ
【図１】
0005518362.tif 000002
【図２】
0005518362.tif 000003
【図３】
0005518362.tif 000004
【図４】
0005518362.tif 000005
【図５】
0005518362.tif 000006
【図６】
0005518362.tif 000007
【図７】
0005518362.tif 000008
【図８】
0005518362.tif 000009